(57)【要約】【課題】  ピッキングが機構上できず、また、鍵違いが従来のシリンダー錠に比べて少なくとも１万倍多く、しかも、シリンダー錠使用者側における錠前の鍵違い変更操作が可能なシリンダー錠を提供する。【解決手段】  円筒形の外筒１の一端と他端とに夫々嵌装された第１及び第２受板３、４の間に、全体の形状が円筒状で、上記第１及び第２受板の間において両端部を受板の中心孔に摺動可能に嵌合させた内筒７を設け、この内筒の外周部を、第１受板の対応するピン受け穴に嵌入する方向に付勢され、母線に平行なｎ（ｎ：正整数）本のタンブラーピン１３、１３により包囲するように卷装し、施錠時、各タンブラーピンを対応するピン受け穴に所定量係入させて内筒を第１受板に錨止し、解錠時、パイプ状の合鍵２７の開口端縁に形成された突歯２９により各タンブラーピンの一端を第１受板の対応する受け穴から抜去して、内筒を外筒に対し相対回動できるようにした。【選択図】  図１
2015132063.tif 000002
【特許請求の範囲】
【請求項１】
全体の形状が薄肉円筒状で、一端の開口を閉塞する蛇の目状の面板を有する外筒と、この外筒の内筒部一端に嵌装できる外形の厚肉リング体で、その実体部にｎ（ｎ：正整数）個のピン受け穴を、一定の展開パターンで、外筒他端側に開口するように形成した第１受板と、外筒の他端開口に嵌装された厚肉リング体で、上記第１受板に対向する面にｎ個のピン受け穴を第１受板のピン受け穴と面対称に形成した第２受板と、全体の形状が円筒状で、上記第１及び第２受板の間において両端部を受板の中心孔に摺動可能に嵌合させた内筒と、この内筒の外周面及び外筒内周面の間の環状の空間内において内筒に担持され、一対の受板の相互に対向する一対の受け穴の中心軸線及び内筒外周面の母線に沿って延在すると共に、その長さ方向に移動可能に案内され、また、それぞれ第１及び第２受板の間隔よりやや短くその長さを設定され、更にまた、夫々第１受板方向に付勢されたｎ本のタンブラーピンと、外筒一端側の内筒の開口から超硬ドリル等を突っ込んで破錠することを防止するため、内筒内周面との間に横断面形状が細いリング状の鍵孔を介して内筒に同軸に装着され、その一端の端面を内筒の開口端縁とほぼ同一にした堅い材質の円柱状のブロック体と、施錠状態における各タンブラーピンの一端部の、第１受板の対応する受け穴に対する嵌入深さを規定し、これらタンブラーピン群の嵌入深さの組み合わせにより鍵違いを設定するため、各タンブラーピンの長さ方向における所定の位置に装着され、内筒の母線に沿って形成された対応するスリット及び断面リング状の鍵孔を通って上記ブロック体方向に突出する爪と、上記内筒の後端部に外筒外に突出するように装着されたテールピースとを備え、施錠時、タンブラーピンの爪と内筒の係止部との係合により対応する受け穴に所定量嵌入したタンブラーピン群を介して内筒を第１受板に錨止し、一方、パイプ状の合鍵の開口端縁の、対応するタンブラーピンに割り当てられた角度範囲の部分を所定量母線方向に切欠くと共に、内筒との間に回り止めを施した合鍵本体を、上記横断面形状が細いリング状の鍵孔に一定量挿入する解錠時、各タンブラーピンの一端を第１受板の対応する受け穴から抜去すると共に、タンブラーピン群全体を第１及び第２受板の間で円周方向に回動可能とし、内筒を外筒に対し相対回動できるようにしたことを特徴とするかご型シリンダー錠。
【請求項２】
上記第１受板における（ｎ−１）個のピン受け穴、及びピン受け穴と同径の、受板を加工せずに残した１個の仮想のピン受け穴が、第１受板の中心軸を中心とする円上に、かつ等角度間隔で形成されており、また、上記した構成の第一受板が、ピン受け穴相互の角度間隔、或いはピン受け穴と仮想のピン受け穴との角度間隔毎に、外筒中心線の周りの角度位置を違えて外筒に固定できるようにしたことを特徴とする請求項１に記載のかご型シリンダー錠。
【請求項３】
全体の形状が薄肉円筒状で、一端の開口を閉塞する蛇の目状の面板を有する外筒と、この外筒の内筒部一端に嵌装できる外形の厚肉リング体で、その実体部にｎ（ｎ：正整数）個のピン受け穴を、一定の展開パターンで、外筒他端側に開口するように形成した第１受板と、外筒の他端開口に嵌装された厚肉リング体で、上記第１受板に対向する面にｎ個のピン受け穴を第１受板のピン受け穴と面対称に形成した第２受板と、全体の形状が円筒状で、上記第１及び第２受板の間において両端部を受板の中心孔に摺動可能に嵌合させた内筒と、この内筒の外周面及び外筒内周面の間の環状の空間内において内筒に担持され、一対の受板の相互に対向する一対の受け穴の中心軸線及び内筒外周面の母線に沿って延在すると共に、その長さ方向に移動可能に案内され、また、それぞれ第１及び第２受板の間隔よりやや短くその長さを設定され、更にまた、夫々第１受板方向に付勢されたｎ本のタンブラーピンと、外筒一端側の内筒の開口から超硬ドリル等を突っ込んで破錠することを防止するため、内筒内周面との間に横断面形状が細いリング状の鍵孔を介して内筒に同軸に装着され、その一端の端面を内筒の開口端縁とほぼ同一にした堅い材質の円柱状のブロック体と、施錠状態における各タンブラーピンの一端部の、第１受板の対応する受け穴に対する嵌入深さを規定し、これらタンブラーピン群の嵌入深さの組み合わせにより鍵違いを設定するため、各タンブラーピンの長さ方向における所定の位置に装着され、内筒の母線に沿って形成された対応するスリット及び断面リング状の鍵孔を通って上記ブロック体方向に突出する爪と、上記内筒の後端部に外筒外に突出するように装着されたテールピースとを備え、施錠時、タンブラーピンの爪と内筒の係止部との係合により対応する受け穴に所定量嵌入したタンブラーピン群を介して内筒を第１受板に錨止し、一方、パイプ状の合鍵の開口端縁の、対応するタンブラーピンに割り当てられた角度範囲の部分を所定量母線方向に切欠くと共に、内筒との間に回り止めを施した合鍵本体を、上記横断面形状が細いリング状の鍵孔に一定量挿入する解錠時、各爪が合鍵の切欠部分に押動され、当該爪に対応する各タンブラーピンの一端を第１受板の対応する受け穴から抜去すると共に、タンブラーピン群全体を第１及び第２受板の間で円周方向に回動可能とし、内筒を外筒に対し相対回動できるようにしたことを特徴とするかご型シリンダー錠の合鍵であって、鍵孔に挿入される合鍵本体を円筒形に成形し、その先端の開口端縁の、対応するタンブラーピンに割り当てられた角度範囲の部分を、合鍵本体の挿入深さからタンブラーピンの受け穴への挿入深さを差し引いた分母線方向に切欠き、以て、合鍵本体を上記横断面形状が細いリング状の鍵孔に一定量挿入する解錠時、各タンブラーピンの一端を第１受板の対応する受け穴から抜去すると共に、タンブラーピン群全体を第１及び第２受板の間で円周方向に回動可能とし、内筒を外筒に対し相対回動できるようにしたことを特徴とするかご型シリンダー錠の合鍵。
【発明の詳細な説明】
【技術分野】
【０００１】
この発明は、新規なシリンダー錠に係り、特に、所謂ピッキングと称する不正解錠操作が機構上できず、また、鍵違いが従来のシリンダー錠に比べて少なくとも１万倍多く、しかも、所謂バリタン（バリアブル・タンブラー）と称する、シリンダー錠使用者側における錠前の鍵違い変更操作が可能なシリンダー錠に関する。
【０００２】
なお、このシリンダー錠は機構上ピンシリンダー錠に属すると思われるが、後述するようにこのシリンダー錠の内筒は鳥かごを思わせる形状をしているので、発明者（出願人）の権利により、このシリンダー錠をかご型シリンダー錠と命名する。
【背景技術】
【０００３】
ピンシリンダー錠は、後記の特許文献１に記載されているように、内筒及び外筒の間のシアーラインを跨ぐようにして、タンブラーピン（特許文献１においては下ピン）及びドライバーピン（特許文献１においては上ピン）を内筒の中心軸線に垂直な方向に連接し、ドライバーピンに関しタンブラーピンとは反対側における外筒に弾装されたスプリングにより、各ドライバーピンがシアーラインを跨ぐように各ピンの位置を定める。
【０００４】
上記のように構成されたピンシリンダー錠は、内筒の鍵孔に合鍵を挿入すると、合鍵の長さ方向に沿って形成されたＶ字型の鍵溝とタンブラーピンとの間の楔作用によりタンブラーピンとドライバーピンとがスプリングの弾力に抗して外側に移動し、両ピンの接合部がシアーラインに揃うので内筒が回動可能になる、すなわちピンシリンダー錠が解錠される。
【０００５】
ちなみに、ピンシリンダー錠におけるピッキングは、合鍵を鍵孔に挿入しない状態で行う不正解錠であって、それを詳細に説明すると公序良俗に反することになるので簡単に説明すると、一対の細長い工具を用いて内筒を一方向に常時付勢すると共に、鍵孔に他方の工具を差し込んで鍵孔の入り口に近い方から各タンブラーピンの先端をスプリング方向に持ち上げていくと、タンブラーピンとドライバーピンとの連接部がシアーラインに整合したとき、コクッという手応えと共にドライバーピンが内筒の開口端縁部に乗り、この操作を全タンブラーピンに施すことによりピッキングが完成する如くである。
【先行技術文献】
【特許文献】
【０００６】
【特許文献１】特開２００６−０７７４４２
【発明の概要】
【発明が解決しようとする課題】
【０００７】
上記したピンシリンダー錠に限らず、ディスクタンブラー錠、レバータンブラー錠、或いは磁石タンブラー錠においてもピッキングは可能であり、換言すればピッキングに耐えうる錠前は存在しない。
【０００８】
そのため、例えば住戸の玄関ドアの錠前として、所謂ワンドアツーロックと称するドアに２個の錠前（ロック）を備えたものが普及している。
【０００９】
また、何れの型式（但し磁石タンブラー錠を除く）の錠前でも、鍵溝の傾斜端縁とタンブラーとの間に生じる楔作用を利用してタンブラーを内筒半径方向に異動させるので、タンブラーの動き量を大きくすることができず、１ロットの錠前の鍵違いは高々数千である。
【００１０】
そのため、例えば住戸の錠前の場合、１ロットの錠前を或る都市或いは地方に割り当てたとすると、同じロットを遠く離れた都市或いは地方に割り当て、偶然拾った鍵で他人の錠前を解錠できないように工夫しなければならない（所謂キープラン）。
【００１１】
更にまた、錠前の鍵違いは選択されたタンブラーの種類により一義的に定まるので、例えば鍵を紛失した場合、それを拾った他人が住戸に侵入することを防止するため、錠前全体を交換しなければならない、など従来に錠前には種々の問題点がある。
【００１２】
そこで、この発明は、所謂ピッキングと称する不正解錠操作が機構上できず、また、鍵違いが従来のシリンダー錠に比べて少なくとも１万倍多く、しかも、所謂バリタンと称する、シリンダー錠使用者側における錠前の鍵違い変更操作が可能なシリンダー錠を提供することを目的としている。
【課題を解決するための手段】
【００１３】
上記の目的を達成するため、請求項１に記載の発明は、全体の形状が薄肉円筒状で、一端の開口を閉塞する蛇の目状の面板を有する外筒と、この外筒の内筒部一端に嵌装できる外形の厚肉リング体で、その実体部にｎ（ｎ：正整数）個のピン受け穴を、一定の展開パターンで、外筒他端側に開口するように形成した第１受板と、外筒の他端開口に嵌装された厚肉リング体で、上記第１受板に対向する面にｎ個のピン受け穴を第１受板のピン受け穴と面対称に形成した第２受板と、全体の形状が円筒状で、上記第１及び第２受板の間において両端部を受板の中心孔に摺動可能に嵌合させた内筒と、この内筒の外周面及び外筒内周面の間の環状の空間内において内筒に担持され、一対の受板の相互に対向する一対の受け穴の中心軸線及び内筒外周面の母線に沿って延在すると共に、その長さ方向に移動可能に案内され、また、それぞれ第１及び第２受板の間隔よりやや短くその長さを設定され、更にまた、夫々第１受板方向に付勢されたｎ本のタンブラーピンと、外筒一端側の内筒の開口から超硬ドリル等を突っ込んで破錠することを防止するため、内筒内周面との間に横断面形状が細いリング状の鍵孔を介して内筒に同軸に装着され、その一端の端面を内筒の開口端縁とほぼ同一にした堅い材質の円柱状のブロック体と、施錠状態における各タンブラーピンの一端部の、第１受板の対応する受け穴に対する嵌入深さを規定し、これらタンブラーピン群の嵌入深さの組み合わせにより鍵違いを設定するため、各タンブラーピンの長さ方向における所定の位置に装着され、内筒の母線に沿って形成された対応するスリット及び断面リング状の鍵孔を通って上記ブロック体方向に突出する爪と、上記内筒の後端部に外筒外に突出するように装着されたテールピースとを備え、施錠時、タンブラーピンの爪と係止部との係合により対応する受け穴に所定量嵌入したタンブラーピン群を介して内筒を第１受板に錨止し、一方、パイプ状の合鍵の開口端縁の、対応するタンブラーピンに割り当てられた角度範囲の部分を所定量母線方向に切欠くと共に、内筒との間に回り止めを施した合鍵本体を、上記横断面形状が細いリング状の鍵孔に一定量挿入する解錠時、各タンブラーピンの一端を第１受板の対応する受け穴から抜去すると共に、タンブラーピン群全体を第１及び第２受板の間で円周方向に回動可能とし、内筒を外筒に対し相対回動できるようにしたことを特徴とする。
【００１４】
また、請求項２に記載の発明は、上記第１受板における（ｎ−１）個のピン受け穴、及びピン受け穴と同径の、受板を加工せずに残した１個の仮想のピン受け穴が、第１受板の中心軸を中心とする円上に、かつ等角度間隔で形成されており、また、上記した構成の第一受板が、ピン受け穴相互の角度間隔、或いはピン受け穴と仮想のピン受け穴との角度間隔毎に、外筒中心線の周りの角度位置を違えて外筒に固定できるようにしたことを特徴とする。
【００１５】
更にまた、請求項３に記載の発明は、全体の形状が薄肉円筒状で、一端の開口を閉塞する蛇の目状の面板を有する外筒と、この外筒の内筒部一端に嵌装できる外形の厚肉リング体で、その実体部にｎ（ｎ：正整数）個のピン受け穴を、一定の展開パターンで、外筒他端側に開口するように形成した第１受板と、外筒の他端開口に嵌装された厚肉リング体で、上記第１受板に対向する面にｎ個のピン受け穴を第１受板のピン受け穴と面対称に形成した第２受板と、全体の形状が円筒状で、上記第１及び第２受板の間において両端部を受板の中心孔に摺動可能に嵌合させた内筒と、この内筒の外周面及び外筒内周面の間の環状の空間内において内筒に担持され、一対の受板の相互に対向する一対の受け穴の中心軸線及び内筒外周面の母線に沿って延在すると共に、その長さ方向に移動可能に案内され、また、それぞれ第１及び第２受板の間隔よりやや短くその長さを設定され、更にまた、夫々第１受板方向に付勢されたｎ本のタンブラーピンと、外筒一端側の内筒の開口から超硬ドリル等を突っ込んで破錠することを防止するため、内筒内周面との間に横断面形状が細いリング状の鍵孔を介して内筒に同軸に装着され、その一端の端面を内筒の開口端縁とほぼ同一にした堅い材質の円柱状のブロック体と、施錠状態における各タンブラーピンの一端部の、第１受板の対応する受け穴に対する嵌入深さを規定し、これらタンブラーピン群の嵌入深さの組み合わせにより鍵違いを設定するため、各タンブラーピンの長さ方向における所定の位置に装着され、内筒の母線に沿って形成された対応するスリット及び断面リング状の鍵孔を通って上記ブロック体方向に突出する爪と、上記内筒の後端部に外筒外に突出するように装着されたテールピースとを備え、施錠時、タンブラーピンの爪と内筒の係止部との係合により対応する受け穴に所定量嵌入したタンブラーピン群を介して内筒を第１受板に錨止し、一方、パイプ状の合鍵の開口端縁の、対応するタンブラーピンに割り当てられた角度範囲の部分を所定量母線方向に切欠くと共に、内筒との間に回り止めを施した合鍵本体を、上記横断面形状が細いリング状の鍵孔に一定量挿入する解錠時、各爪が合鍵の切欠部分に押動され、当該爪に対応する各タンブラーピンの一端を第１受板の対応する受け穴から抜去すると共に、タンブラーピン群全体を第１及び第２受板の間で円周方向に回動可能とし、内筒を外筒に対し相対回動できるようにしたことを特徴とするかご型シリンダー錠の合鍵であって、鍵孔に挿入される合鍵本体を円筒形に成形し、その先端の開口端縁の、対応するタンブラーピンに割り当てられた角度範囲の部分を、合鍵本体の挿入深さからタンブラーピンの受け穴への挿入深さを差し引いた分母線方向に切欠き、以て、合鍵本体を上記横断面形状が細いリング状の鍵孔に一定量挿入する解錠時、各タンブラーピンの一端が第１受板の対応する受け穴から抜去されると共に、タンブラーピン群全体を第１及び第２受板の間で円周方向に回動可能とし、内筒を外筒に対し相対回動できるようにしたことを特徴とする。
【発明の効果】
【００１６】
上記のように構成された請求項１に記載の発明によるかご型シリンダー錠は、前記したように機構上ピッキングが不可能である。しかしながら、その理由はこのかご型シリンダー錠の機構及び作用を説明していないこの時点においては理解ができないと思われるので、後述の実施例１において述べる。
【００１７】
また、請求項１に記載された発明のもう一つの効果は、従来のシリンダー錠と比較して、タンブラーをカム作用を介してではなく合鍵の動きを直接タンブラーに伝達するので、タンブラーの動きを精度良く制御できるばかりでなく、タンブラーの動き量を大きくすることができる。
【００１８】
例えば８本のタンブラーピンを０．５ミリ毎に１０段階５ミリ動かすようにすれば、鍵違いは１０８＝１億となる。
【００１９】
更にまた、請求項２に記載された発明の特徴は、かご型シリンダー錠の一部の部材を調節することにより錠前を交換することなく鍵違いを変える、すなわち、所謂バリタンになるのだが、この請求項２に記載の発明の特徴についても、上記ピッキングができない理由と同様に後述の実施例２において説明する。
【００２０】
加えて、請求項３に記載の発明によれば、円周方向に配設され、鍵孔から見るとリング状に配設されたｎ本のタンブラーの爪を、鍵孔から内筒内に挿入される円筒形の合鍵本体の開口端縁に形成された各切欠がほぼ同時に係合してこれを内方に押動するので、解錠操作が極めて短時間に、かつ、正確に行われる、という効果を奏する。
【図面の簡単な説明】
【００２１】
【図１】この発明の一実施例によるかご型シリンダー錠の拡大縦断面図で、図面を明瞭にするため付勢ばねの図示を省略して示す。
【図２】図１のかご型シリンダー錠の拡大正面図。
【図３】かご型シリンダー錠の部品を展開して示す図。
【図４】第１又は第２受板の正面図。
【図５】内筒の正面図。
【図６】タンブラーピンの一部断面拡大側面図。
【図７】タンブラーピンの一部断面拡大正面図。
【図８】テールピースの拡大背面図。
【図９】合鍵の一部断面拡大側面図。
【図１０】合鍵の構造を示す拡大展開図。
【図１１】合鍵の拡大正面図。
【図１２】合鍵の拡大平面図
【図１３】かご型シリンダー錠の作動を説明するための線図。
【図１４】この発明の変形実施例を示す内筒の拡大背面図。
【図１５】この発明の他の変形実施例を説明するための線図。
【図１６】請求項２に記載の発明を説明するための第１受板の拡大正面図。
【発明を実施するための形態】
【００２２】
円筒形の外筒の一端と他端とに夫々嵌装された第１及び第２受板の間に、全体の形状が円筒状で、上記第１及び第２受板の間において両端部を受板の中心孔に摺動可能に嵌合させた内筒を設け、この内筒の外周部を母線に平行なｎ本のタンブラーピンにより包囲するように卷装すると共に、各タンブラーピンをその長さ方向に移動可能に案内し、また、各タンブラーピンを第１受板の対応する受け穴に嵌入する方向に付勢し、更にまた、各タンブラーピンの長さ方向における所定の位置に装着され、内筒の母線に沿って形成された対応するスリットを通って上記ブロック体方向に突出する爪を断面がリング状の鍵孔内に突出させ、施錠時、タンブラーピンの爪と内筒の対応するスリットの端部との係合により対応する受け穴に所定量嵌入したタンブラーピン群を介して内筒を第１受板に錨止し、他方、パイプ状の合鍵の開口端縁の、対応するタンブラーピンに割り当てられた角度範囲の部分を所定量母線方向に切欠くと共に、内筒との間に回り止めを施した合鍵本体を、上記横断面形状が細いリング状の鍵孔に一定量挿入する解錠時、各タンブラーピンの一端が第１受板の対応する受け穴から抜去されると共に、タンブラーピン群全体を第１及び第２受板の間で円周方向に回動可能とし、内筒を外筒に対し相対回動できるようにした。
【実施例１】
【００２３】
以下、本発明の一実施例を図面を参照して説明する。
図１乃至図３において符号１は外筒を示し、この外筒１は全体の形状が薄肉円筒状で、一端の開口を閉塞する蛇の目状の面板２を有する。
【００２４】
上記のように構成された外筒１の両端、すなわち、図１及び図３において外筒１の内筒部左端になる一端、及び右端になる他端には、夫々第１受板３と第２受板４とが嵌装されており、外筒１を貫通するねじ５（図１及び図４参照）によって外筒１に固定されている。
【００２５】
上記第１及び第２受板３、４は、図１、図３及び図４に示すように、外筒１の内筒部に嵌装できる外形（図示の実施例では円形）の厚肉リング体で、その実体部に、一定の展開パターンで、ｎ（図示の実施例では８）個のピン受け穴６、６が開口している。
【００２６】
上記一定の展開パターンは、図示の実施例では、図４に示すように、外筒１並びに第１及び第２受板３、４の中心軸を通る円上の、角度間隔４５度の等角度間隔の８点を中心とする８個の小円群である。
【００２７】
また、第１及び第２受板３、４におけるピン受け穴６の開口の態様は、図示の実施例では、ピン受け穴が受板を厚さ方向、すなわち、図１及び図３で左右方向に貫通しているが、これは第１及び第２受板３、４の相互に対向する面からみて盲穴であっても良い。
【００２８】
また、図４に示すようなピン受け穴６、６の展開パターン、すなわち、上下左右対称のパターンは、第１及び第２受板３、４が相互に対向するとき面対称となるが、本発明におけるピン受け穴６、６の展開パターンは、相互に対向した場合面対称になればそれで良いのであって、上下左右対称のパターンである必要は無い。
【００２９】
一方、図１に示すように、外筒１の中心部には、全体の形状が円筒状で、上記第１及び第２受板の間において両端部を受板の中心孔に摺動可能に嵌合させた状態で、全体の形状が円筒状の内筒７が嵌装されている。
【００３０】
この内筒７の中心部は細長い円筒形で、その外周部面の母線方向における所定の位置に、薄い（母線方向の寸法が小さい）第１フランジ８と、厚い第２フランジ９とが一体に形成されている。
【００３１】
この第１及び第２フランジ８、９は前記タンブラーピンの担持及びその長さ方向への移動の案内の為に設けられている。
【００３２】
すなわち、図５に示すように、内筒７の第１及び第２フランジ８、９には、受板３、４におけるピン受け穴６、６と同じ展開パターンで、夫々ｎ個のガイド穴１１、１１が内筒母線方向に貫通している。
【００３３】
そして、上記内筒７の第１及び第２フランジ８、９のガイド穴１１、１１を挿通するようにして、長さ方向の所定の位置に装着された爪１２を有するタンブラーピン１３がその長さ方向に移動可能に担持、案内されている。
【００３４】
ちなみに、上記タンブラーピン１３、１３の長さはｎ本とも同じ長さとし、何れも第１及び第２受板３、４の間隔よりもやや短く設定されている。この「やや」の意味については後にまた触れることにする。
【００３５】
また、タンブラーピン１３における爪１２の装着の態様は、例えば図示の実施例では、図６及び図７に示すように、爪１２の基部に一体に連設された接続筒１４にタンブラーピン１３を挿通させ、この接続筒１４の両側におけるタンブラーピン１３の部分に形成された止め輪溝１５、１５にＥ型止め輪１６を嵌装して固定する。
【００３６】
なお、爪１２付のタンブラーピン１３を図１に示すように内筒７に装着するには、内筒７を外筒１内に嵌装する前の単体として取り出し、爪１２を装着する前のタンブラーピン１３をその一端（図１で左端）を先にして第２フランジ９の後端（図１で右端）側から対応するガイド穴１１に挿入する。
【００３７】
そして、第２フランジ９の一端側（図１で左側）の開口から左側に突出したタンブラーピン１３の一端部に圧縮コイルばねとしての付勢ばね１７（図３参照）を卷装する。
【００３８】
なお、図面を明瞭にするため、この付勢ばね１７は図１においてはその図示を省略している。
【００３９】
次に上記のようにしてタンブラーピン１３の所定の位置に爪１２を装着するのだが、爪の接続筒１４のタンブラーピン１３周りの回り止めを施すため、接続筒１４にタンブラーピン１３の一端を挿入する前、爪１２の先端を、内筒中央部に等角度間隔で形成されたｎ個の細長くかつ母線に沿ったスリット１８、１８（図３参照）の内対応するものに挿入する。
【００４０】
しかる後、Ｅ型止め輪１６で爪１２をタンブラーピン１３の長さ方向における所定の位置に装着、係止し、そのまま手を離せば、タンブラーピン１３の一端は、付勢ばね１７の弾力により自動的に第２フランジ９のガイド穴１１を挿通して、第１受板３のピン受け穴６に係入する（図１参照）。
【００４１】
このとき、図１に示すような施錠状態において、爪１２のタンブラーピン１３の長さ方向における装着位置により、各タンブラーピン１３の第１受板３のピン受け穴６への係入深さが異なる。
【００４２】
ちなみに、上記したように爪１２がスリット１８の端部に係止される、言い換えればスリット１８が爪の係止部になる場合にはスリット１８の端部が第１フランジ８の平面部と内筒母線方向において一致しなければならない。
【００４３】
この場合加工が難しいとすれば、図６において左方の止め輪溝１５の幅を大きくし、ここにリング状のスぺーサー（図示せず）とＥ型止め輪１６とを嵌め込んで、このＥ型止め輪１６を第１フランジ８に当接させることにより、第１フランジを係止部とすると良い（図示せず）。
【００４４】
いずれの場合でも、施錠状態における爪１２の係止位置はタンブラーピン１３の長さ方向における取付位置、或いは諸部材の加工誤差により設計値より若干ずれるが、後述する合鍵本体の鍵孔への挿入深さは一定であるから、爪１２の係止位置がずれても作動には影響が無い。
【００４５】
本題に戻って、図１で上方のタンブラーピン１３の一端は最も浅く、例えば０．５ミリ第１受板３に係入しているのみである一方、下方のタンブラーピンは最も深く、例えば５ミリ係入しているものとする。
【００４６】
各タンブラーピンに長さは同じであるから、図１の上方のタンブラーピン１３の他端と第１受板３との間隔は約０．５ミリ、下方のタンブラーピン１３の他端と第１受板３との間隔は約５ミリである。
【００４７】
後述するように、各爪１２は円筒形の合鍵の開口端縁の対応する段部と係合し、この段部は前記したように開口端縁の、対応するタンブラーピンに割り当てられた角度範囲の部分を、合鍵本体の挿入深さからタンブラーピンの受け穴への挿入深さを差し引いた分母線方向に切欠いたものであるから、合鍵本体が上記付勢ばね１７、１７の弾力に抗して一定量鍵孔に挿入されると、図１の上方のタンブラーピン１３は０．５ミリ右方に、下方のタンブラーピン１３は５ミリ右方に移動して、何れもその一端が第１受板のピン受け穴６から抜去される。
【００４８】
一方、各タンブラーピンの他端も同量右方に移動するが、タンブラーピン１３の長さは第１及び第２受板３、４の間隔よりもやや短いので、タンブラーピンの他端は何れも第２受板のピン受け穴６に係入するに至らず、ここにｎ個のタンブラーピン１３、１３は何れの受板からも自由になる。
【００４９】
したがって、合鍵を回すことにより、合鍵に従動して内筒７が外筒１に対し相対回動可能になり、すなわちこのかご型シリンダー錠が解錠される。
【００５０】
一方、鍵孔に挿入されたものが異鍵である場合には、第１受板３のピン受け穴６、６に挿入されたタンブラーピン１３、１３の内必ず一本はピン受け穴６に残るか、或いは第２受板４のピン受け穴に係入しているから、内筒を回転させたときこのタンブラーピン１３がピン受け穴６に引っ掛かってしまい内筒が回転できない。すなわち、解錠できない。
【００５１】
なお、ここで合鍵とは所謂スペアキーを示称するものではなく、この発明によるかご型シリンダー錠を解錠すべく正規に加工された鍵を言うものとし、一方異鍵とは合鍵ではないかご型シリンダー錠の鍵であるものとする。
【００５２】
上記のように構成された図示の実施例によるかご型シリンダー錠は、８本のタンブラーピン１３は夫々０．５ミリ毎に１０段階第１受板３への係入深さが変化するから、鍵違いは１０８＝１億の鍵違いを得ることができる。
【００５３】
なお、図１に示すように、施錠状態におけるタンブラーピン１３とピン受け穴６とは遊嵌するようにその外径及び内径が設定されているので、解錠から施錠状態への移行が確実である。
【００５４】
他方、内筒７の内側には、内周面との間に横断面形状が細いリング状の鍵孔１９（図１参照）を介して、円柱状のブロック体２１が同軸に嵌装されている。
【００５５】
このブロック体２１は、前記したように、外筒一端側の内筒の開口から超硬ドリル等を突っ込んで破錠することを防止するために設けられたもので、焼きを入れた鋼材などの硬いに材質であることが望ましい。
【００５６】
そして、このブロック体２１の一端面は、図１に示すように、内筒７の開口端縁とほぼ同一面上にあり、またその一端面にはスリワリ２２が形成されている（図２参照）。
【００５７】
このスリワリ２２は、後述の合鍵との間の回り止め機構を構成するために形成されたものである。
【００５８】
また、上記ブロック体２１は他端側が大径の段付棒状体であり、その大径部の他端面に開口した取付孔２３（図１及び図３参照）には、図１、図３及び図８に示すように、テールピース２４、連結棒２５を一体に連設したものの連結棒２５が差し込まれ、ピン２６によってテールピース２４付のブロック体２１が内筒７の他端開口部に装着されている（図１参照）。
【００５９】
このようにして、テールピース２４が内筒７の後端部に外筒１外に突出するように装着される。
【００６０】
次に、かご型シリンダー錠の鍵（合鍵）について説明する。
図９及び図１０において符号２７はパイプ状の合鍵を、符号２８は合鍵本体を夫々示す。
【００６１】
上記合鍵２７は、図９に示すようにパイプ状の部材であり、その先端（図９で右端）には、パイプの開口端縁を例えば等角度間隔で８等分し、その一つ一つの角度範囲を例えば小径のフライスで所定の距離削り込んで、合鍵本体２８が形成されている。
【００６２】
つまり、図１０の上部に示す合鍵２７を一つの母線を切断線として展開すれば１０図の下方に示す板になる。
【００６３】
そして、上記一つの角度範囲は一本のタンブラーピンに対応しており、前記したように、合鍵本体の挿入深さからタンブラーピンの受け穴への挿入深さを差し引いた分母線方向（図９で左方）に切欠かれ、その底部が突歯２９を形成している（図１０参照）。
【００６４】
そして、図１０に示す突歯２９−１は図１の上方のタンブラーピン１３に対応しており、この突歯２９−１から４つ隔たった突歯２９−２は図１の下方のタンブラーピンに対応している。
【００６５】
前記した、「合鍵本体の挿入深さからタンブラーピンの受け穴への挿入深さを差し引いた分母線方向に切欠く」なる記述は、合鍵本体を切欠く前の開口端縁を基準として突歯の形成を説明するための説明であるが、合鍵の構造の説明が大体終わったこの章においては、一番長い突歯２９−２の図１０における下端から合鍵本体の挿入深さ（上述した例では５ミリ）上方に描いた鎖線を基準線３１とし、この基準線３１からタンブラーピン１３の受け穴への挿入深さ分図１０で下方に突出させたものを突歯２９として定義しても良く、この方がむしろ判り易い。
【００６６】
更に、図９において符号３２は側面の形状が略台形の摘みを示し、この摘み３２の下端には盲穴の筒部３３が一体に接続されている。
【００６７】
そして、この盲穴の筒部３３の開口から合鍵２７を挿入、或いは圧入する。このとき、合鍵２７の合鍵本体２８とは反対側の端部から筒部３３に挿入する。
【００６８】
そして、図９に示すように筒部３２の閉塞側の端部に付番しない段部を形成しておけば、合鍵２８の挿入深さはこの段部に突き当たることにより一義的に定まる。
【００６９】
一方、図９及び図１１に示すように、パイプ状の合鍵２７の内筒部には短円柱の外端面（図９で右端面）に直方体である係合片３４を一体に突設したホルダー３５が嵌装されており、盲穴の筒部３３、合鍵２７及び摘み３２を上下方向に貫通する結合ピン３６（図９参照）によってこれらの部材が一体的に結合されている。
【００７０】
このとき、図２に示す施錠状態において、水平なスリワリ２２の角度位置に対応して図１１に示す係合片３４も水平になり、また、合鍵本体２８と係合片３４との間の関係角度も所定の角度関係になるように結合すべきことは勿論である。
【００７１】
なお、上記係合片３４の図９及び図１０における上下方向の寸法は、前記したブロック体２１のスリワリ２２の幅、すなわち図２で上下方向の寸法より若干小さく設定されており、合鍵２７を鍵孔１９に挿入したとき上記係合片３４がスリワリ２２に遊嵌、係合して回り止めが施される。
【００７２】
そして、図１に示す施錠状態のかご型シリンダー錠の鍵孔１９に、摘み３２を上にして合鍵２７を挿入すると（図示せず）、例えば前記の例で言えば１０ミリほど挿入した状態で合鍵本体２８の仮想の先端が爪１２、１２に当接する。
【００７３】
このときには、盲穴の筒部３の接合端縁３７（図９参照）と内筒７の外側開口端縁３８（図１参照）との間には合鍵本体２８の規定の挿入深さ（例えば５ミリ）分の間隙がある。
【００７４】
そこで、付勢ばね１７、１７の弾力に抗して合鍵２７を更に押し込むと、換言すれば、合鍵の突歯２９、２９を所定量、すなわち全行程量の例えば５ミリ押し込むと、全タンブラーピン１３、１３が第１受板３のピン受け穴６、６から抜去される。
【００７５】
同時に、合鍵側の係合片３４とブロック体２１のスリワリ２２（図２）とが係合し、合鍵２７と内筒７との回り止めが施される。
【００７６】
すると、前記したように内筒７は外筒１から自由になり、合鍵２７を鍵孔１９に差し込んだ状態で摘み３２を回すと、内筒７は外筒１に対し相対的に回動し、内筒の後端部に外筒外に突出するように装着されたテールピース２４（図１参照）が図示しないロック機構を例えば解錠方向に駆動する。
【００７７】
上記突歯２９の行程は、上記したように、上記接合端縁３７（図９参照）と内筒７の外側開口端縁３８（図１参照）との接合によって一義的に定まる。
【００７８】
これは、通常のシリンダー錠のキーガイドと鍵のショルダーの当接によって鍵溝の行程が規定されることに対応する。
【００７９】
ちなみに、図示の実施例では、合鍵２７の内筒軸線方向の行程量は、上記接合端縁３７（図９参照）と内筒７の外側開口端縁３８（図１参照）との接合によって定まるが、係合片３４（図１１）とスリワリ２２の係合以前の、合鍵２７の回転軸線周りの角度ブレの検出用に、図１１に示す施錠状態における合鍵２７の、時計盤面に換算して１２時の角度位置に、図１２のように合鍵２７の母線方向に濃い色の標線３９を設ける。
【００８０】
この標線を記録するには、合鍵の外表面に例えば浅い溝線を形成し、この溝線にペイントを塗り込む。
【００８１】
上記標線の図１２における右端は、例えば合鍵本体２８の仮想の先端が爪１２に当接したときの合鍵２７の挿入深さを示すものとし、左端は上記接合端縁３５（図９参照）と内筒７の外側開口端縁３８（図１参照）との接合位置を示すものとする。
【００８２】
これに対応して、施錠角度位置における内筒７の外側開口端縁３８の、時計盤面に換算して１２時の角度位置に、上から見てＶ字形の切欠４１を刻設し、合鍵挿入時の中盤以降これらの切欠４１及び標線３９との相対位置関係から、合鍵２７の角度ブレを検出しながら合鍵を操作する。
【００８３】
次に、上記のように構成された本発明の一実施例によるかご型シリンダー錠のピッキングはできないことを以下に説明する。
【００８４】
図１３に示す（ａ）〜（ｄ）は第１受板３におけるピン受け穴６、６とタンブラーピン１３、１３の係合状態を示す線図で、上記の説明ではこれらは円形に配列されているが、図１３では図面を明瞭にするため直線的に表示してある。
【００８５】
そもそもこのかご型シリンダー錠はそのものが新規であるため、当然そのピッキング方法も知られていない。
【００８６】
そこで、皮肉なことながら、発明者が敢えてかご型シリンダー錠のピッキングの方法を案出しなければならないが、結論を先に述べれば、このかご型シリンダー錠のピッキングは、ブロック体２１のスリワリ２２（図２参照）に例えばマイナスドライバーの先を係合させて、ブロック体を介して内筒７を時計方向あるいは反時計方向に軽く付勢しつつ、リング状の鍵孔１９から覗く爪１２を細いピンなどの金具で静かに押していく。
【００８７】
すると、細いピンは爪１２を介してタンブラーピン１３を図１で右方に、すなわちタンブラーピン１３を第１受板３のピン受け穴６から抜くように移動させる。
【００８８】
なお、このとき注意すべきことは、最初にピッキングを仕掛けるタンブラーピンは必ず後述の止めピンであるべきで、止めピンであるか否かは、上記細いピンで爪を押す時ピン受け穴６及びガイド穴１１に挟まれた止めピンはこれらの穴の内周面と摺接するので抵抗があるからすぐ判る。
【００８９】
この場合、この細いピンに駆動されるタンブラーピン１３が後述する止めピンで、他のタンブラーピン１３が全部浮きピンである場合に限り、止めピンがわずかの量でも付勢方向に移動してピン受け穴６の開口端縁部に乗り上がる。
【００９０】
すなわち、ピンは第１受板３の表面に乗り上がるから、以降第１受板３からの拘束を逃れる。この操作を他の（ｎ−２）本のタンブラーピンに施すことにより（最後に残ったタンブラーピンは必ずピッキングができる）、このかご型シリンダー錠のピッキングは可能である。
【００９１】
しかしながら、実際には以下に述べる理由により、かご型シリンダー錠のピッキングは理論上不可能である。そしてその理由の説明を容易にするため、用語を次のように定義する。
【００９２】
すなわち、図１３において大径の円を穴（ピン受け穴６）、小径の円をピン（タンブラーピン１３）とし、図１３に示すように各ピンの穴との係合の態様により、ピンを止めピン、浮きピン及び乗り上げピンの３種類に分ける。
【００９３】
上記止めピンは、固定された第１受板（穴）に対し、内筒を介して矢印方向に付勢されたピンの内、穴の付勢方向における内壁に接しているピンで、図１３（ａ）の一番左側、及び図１３（ｂ）の左から２番目のピン、浮きピンは例えば図１３（ａ）の左側から２番目〜８番目のピンで、穴の内壁に接触していないピン、乗り上げピンは例えば図１３（ｂ）の一番左側のピン、或いは図１３（ｄ）の左側７個のピンのように穴の開口縁に乗り上がっているピンである。
【００９４】
また、内筒が一定方向に付勢されて少なくとも１本のピンが止めピンとなったとき、各ピンと対応する穴の内周面との環状の隙間の内、図１３において左側のものを隙間と定義する。図１３（ａ）で一番左の止めピンの隙間は０（ゼロ）である。
【００９５】
なお、図１３においてはこの隙間量は誇張されている。図１においては、例えばピンの直径を２ミリ、ピン受け穴６の内径を３ミリとして描かれているが、上記したように内筒が一定方向に付勢されて少なくとも１本のピンが止めピンとなっているときには、全部のピンが同方向に寄せられているから、実際には全部のピンが外観上止めピンのように見える。
【００９６】
上記したかご型シリンダー錠のピッキングを理想的なモデルについて詳細に説明すると、
イ．内筒を図１３で左方に付勢することにより、８本のピンは同時に付勢されて左方に移動する。
ロ．すると、必ず１本のピン（図１３（ａ）では一番左のピン）が穴の内周面に接触して止めピンとなる。
全部のピンが浮きピンである場合には、ピン群はさらに左方への移動が可能であり、８本のピンの何れかが対応する穴の内周面に接触して止めピンとなる迄移動する。
ハ．図１３（ａ）において一番最初にピッキングされる１番目のピンを図１３における左端のタンブラーピンとし、これを上方に少しずつ引き上げていくと、換言すれば鍵孔内に差し入れた上記細いピンで爪を押していくと、タンブラーピンの下端が穴から外れたとき、他のピンが全部浮きピンである場合に限り、全部（８本）のピンが左方に移動し、図１３（ｂ）に示すように一番左のピンが穴の縁に乗り上がると共に、例えば２番目のピンが止めピンとなる。つまり、一番左のピンのピッキングが完了する。
二．なお、止めピンとなるピンは２番目のピンでなくとも、他の任意の序数番目のピンでも良いが、ここでは説明を簡単にするため、左から順番に止めピンとなる場合について説明する。
ちなみに、以下の説明は、止めピンが左側から順番に止めピンにならない場合についても成り立つ。
ホ．次に、図１３（ｂ）に示す左側から２番目の止めピンを上記ハのようにしてピッキングし、以下同様にして３〜７番のピンをピッキングする。
ヘ．ちなみに、図１３（ｃ）に示すように止めピンが２本ある場合（左端及び左側から４番目のピン）、１本の止めピンを抜いても他の止めピンが内筒を第１受板３に錨止するのでピッキングはできず、したがってこの時点で以降のピッキングは不可能になる。
ト．上記イ〜ホの操作を演繹すると、各ピンのピッキングに際し、ピッキングの対象になっているピンは止めピンでなければならないし、また、ピッキングの対象になっているピン以降のピンは全部浮きピンでなければならない。
更に、各浮きピンは、それより以前（番号が若いピン）のピッキング毎に隙間がε（微小の一定量と仮定する）ずつ減っていく。同時に、各乗り上がりピンはεずつ左方に移動する。
チ．結局、図１３（ａ）に示す７本（繰り返すが最後の１本は必ずピッキングできるから７本のピンをピッキングすればピッキングは完了する）のピンをピッキングするために各ピンの隙間の量は、２番目のピンはε、３番目のピンは２ε、同様にして３ε、４ε、５ε、６εのように等差数をなすべきである。
リ．一方、上記のようにして７本のピンをピッキングした後のピン受け穴６とピン１３、１３との位置関係を隙間を誇張して示したものが図１３（ｄ）である。
図１３（ｄ）において、Ｌは図１３（ａ）における１番目のピンと８番目のピンの当初の間隔であるとすると、上記のようにして７回のピッキングの成功後１番目のピンが穴の左方に７εだけはみ出る筈である。
ヌ．しかしながら、図１及び図４から明らかなように、ピンが穴６から抜き出たとしても、各ピンはその長さの大部分を第１及び第２フランジ８、９に拘束されていて図１３（ｄ）のように大きく左方にはみ出ることはできない。
ル．すなわち、図１３（ｄ）の７εは第１又は第２フランジ８、９のガイド穴１１におけるピン１３の半径方向の遊動量を超えることはできない。
ヲ．するとεの値は比較的簡単に計算ができる。すなわち、図示の実施例では上記ガイド穴１１及びピン１３の径を２ミリとしてあるから、比較的精度の良い嵌め合いの穴Ｈ８、軸ｈ８の嵌め合いを適用すると、ＪＩＳ規格の嵌めあい公差表によれば、径が３ミリまでのＨ８の穴の公差は＋１４μ（ミクロン）、−０μ、ｈ８の軸の公差は＋０μ、−１４μであるから、穴の中で軸を一方に片寄せたときの隙間の最大量は２８μ、そしてεは平均して４μである。
ワ．発明者らの簡単な模型による実験によれば、ピッキング毎に隙間εが加わっていくのではなく、最初のピッキングにより各ピンがいっぺんに最大量２８μ動くので、以降隙間はほとんど０に近くなる。換言すれば、最初のピッキングによりタンブラーピン列が伸び切ってしまう如くである。
カ．この４μという長さは、髪の毛（直径が約５０ミクロン）の太さの約１／１０である。したがって、ピンの穴の縁にかかる量が４μで足りるかという問題に加え、止めピンが穴から抜かれた瞬間、一方向に付勢されている浮ピン（と一体の内筒）が図１３で左方に駆動される量４μを手指が検知できるかという問題がある。
ヨ．一般に人間の手指は敏感で、５０μの段差を検出できるといわれているが、それは段差を直接人間の手指で触った場合であって、現在検討しているピッキングのようにピンの爪を細い工具で押しながら内筒を片手で付勢する作業においては、４μの移動量を内筒の回動（０．０３度）によって検知しなければならず、結論としてそれば不可能である。
タ．また、上記チ．において述べたように、隙間が等差数列になるか如何かの問題であるが、例えば同じ工程で作られる多数の製品の寸法、測定の誤差等変量が多くの互いに無関係な小原因の総合によって生じるとき、その分布は正規分布となる（百科事典）。
レ．つまり、各ピンの隙間の分布は正規分布となり、等差数列をなさず、隙間量の平均値付近に大多数が集まる。
例えば似通った隙間量の２本のピンがピッキングにより同時に移動して止めピンになった場合、一方の隙間は０、他方の隙間は２次の微小になり、実質上２本の止めピンができる。
ソ．この場合、前記したように、一方のピンをピッキングしても他方の止めピンによって内筒が係止され、一方のピンが移動できないので以降ピッキングが止まる。故に、このかご型シリンダー錠のピッキングは不可能である。
【００９７】
次に、従来のシリンダー錠のピッキングと比較しての、かご型シリンダー錠のピッキングについて説明する。
【００９８】
上記したように、この発明によるかご型シリンダー錠のピッキングの方法は非常に簡単であり、修錬や技術を必要としない。
【００９９】
すなわち、片方の手で内筒を一方向に常時付勢すると共に、他方の手で細い金具を環状の鍵孔に突っ込み、止めピンから順に爪を押していく。止めピンがピン受け穴６から抜き出た瞬間は明確に検知できないかも知れないが、大体抜き出たと思うタイミングで手を離せば、付勢ばね１７の弾力でタンブラーピンの一端が第１受板３のピン受け穴６の開口端縁に少し乗り上がった状態でこれに引っ掛かる、から、これを繰り返せばピッキングが容易にできるのではないかと推定される。
【０１００】
一方、従来のシリンダー錠のピッキングは、内筒を一方向に付勢するのは共通しているが、他方の手で細い金具を鍵孔内に突っ込み、直接タンブラーを動かしてこれを解錠位置に持っていく点がかご型シリンダー錠と異なっている。
【０１０１】
そのため、従来のピッキングにおいては、タンブラーを直接動かして解錠位置に持って行く過程において内筒とタンブラーとの間に一定の係合が生じ、その後内筒を一方向に付勢することによってタンブラーをピッキング位置に固定することができる（図示せず）。
【０１０２】
この操作を続けることにより、複数のタンブラーを安定にピッキング位置に固定することができ、ついには短時間の内にピッキングが完成するのである。
【０１０３】
これに対し、かご型シリンダー錠のピッキングにおいては、ピンを穴から抜き出してこれを固定するための、ミクロン単位のεの乗り上がり代にピンの端を弱いばねで弾接するという固定手段は非常に不安定である。
【０１０４】
すなわち、かご型シリンダー錠のピッキングと、従来のシリンダー錠のそれとは、ピンをピッキング位置にロックする手段があるか否かの大きな相違がある。
【０１０５】
そのため、かご型シリンダー錠のピッキングを検証するための、前記本発明者らが設計した簡単な装置による実験によれば、最初の止めピンのピッキングは兎も角も、２本目以降のピッキングにおいては、タンブラーピンの一端を穴の縁に乗せようとしても乗らず、ピンが元の穴に、それも開口端縁付近の浅いところに乗っかるように戻ってしまう。
【０１０６】
それは、前記したタンブラーピン列のミクロン単位の伸び量が伸び切ってしまうのと、ミクロン単位のεの乗り上がり代に乗っても滑って元の穴に戻るからである。
【０１０７】
その結果、錠の内側から第１受板の内面を見れば、複数本の元止めピンが一端を浅く穴に係入した状態で残り、残りは浮ピンとして残る。結局、このかご型シリンダー錠のピッキングは不可能である。
【実施例２】
【０１０８】
図１４はこの発明の他の実施例を示し、この実施例は、内筒７の外周部におけるタンブラーピン１３、１３の案内機構を改良し、内筒７の組み立てを容易にしたものである。
【０１０９】
すなわち、第２フランジ９の背面を示す図１４において第２フランジ９は縮径されており、その縮径された第２フランジの外周面の所定の角度位置、すなわち前記した第２フランジにおけるタンブラーピン１３、１３の貫通位置と同じ８ヶ所の角度位置に、母線方向に沿って８条の断面矩形のガイド溝４２、４２が形成されている。
【０１１０】
このガイド溝４２は、例えば丸鋸状のフライス工具によって形成するものとし、その断面形状は例えばタンブラーピン１３に三方から所定の間隙を保って外接するように、その幅、及び底面の位置を規定する。
【０１１１】
また、上記ガイド溝４２の長さは第２フランジ９の内筒母線方向の長さと同じに、すなわち、第２フランジの厚さと同じに設定されている。
【０１１２】
一方、第２フランジより薄い第１フランジ８においては、このガイド溝４２は形成されておらず、図１と同様にタンブラーピン１３が貫通する丸穴が開口している。
【０１１３】
上記のように構成された第２フランジの各ガイド溝４２に、所定の位置に装着された爪１２を内筒中心軸線方向に向け、かつ付勢ばね１７（図３参照）を卷装したタンブラーピン１３を嵌め込む。
【０１１４】
このとき、タンブラーピン１３の一端は第１フランジ８の穴には通さず、また、付勢ばね１７は第２フランジ９の図１における左端面より左に置く。
【０１１５】
すると、各タンブラーピン１３の一端は、付勢ばね１７の弾力により自動的に第１フランジ８の対応する穴に入ってこの状態を安定的に保つ。
【０１１６】
この状態で、縮径された第２フランジ９、及び外筒１の内周面と所定の間隙を保って嵌合する筒状のホルダー筒４３を第２フランジ９に嵌め込み、ねじ５、５止めする。
【０１１７】
上記のように構成された内筒アセンブリーは、前記したタンブラーピン１３に対する爪１２の装着が簡単になり、かつ、組み立てが容易になる。
【実施例３】
【０１１８】
図１５は解錠時におけるタンブラーピン１３と第１及び第２受板３、４の相対位置関係の一例を示し、図１５におけるタンブラーピンの位置は、設計上その両端と受板との間にδ（デルタ）の隙間を想定しているものとする。
【０１１９】
上記δの値は、第１及び第２受板３、４の間隔と、タンブラーピン１３の長さとの差の１／２であるが、上記隙間及びタンブラーの長さは構造上、また、加工上精度を出し易い。
【０１２０】
一方、タンブラーピン１３の図１５における左右のブレ（位置の変化）は、タンブラーピン１３への爪１２の取付誤差、及び前記合鍵の突歯２９（図１０参照）の高さの誤差によって変化するが、最大のブレは左右に０及び２δのブレである。
【０１２１】
ところで、前記したようにタンブラーピン１３の一段階の動きを０．５ミリとしたから、δが０．２ミリ、すなわち２δが０．４ミリでもこのかご型シリンダー錠は作動する。
【０１２２】
つまり、合鍵を解錠のため鍵孔１９に差し込んだとき、タンブラーピン１３が基準位置からδ狂っても解錠できる。
【０１２３】
また、同じ突歯が一段階０．５ミリ前後すれば、２δすなわち０．４ミリの隙間を０．５ミリの突歯の動きがカバーし、受板のピン受け穴６とタンブラーピンとの間に０．１ミリの引っ掛かりが生じて内筒７を係止し、施錠状態を保つ。
【０１２４】
換言すれば、この発明によるかご型シリンダー錠はタンブラーの動きが０．２ミリ狂っても作動に影響が無く、この特性は他の型式のシリンダー錠、例えばピンタンブラー錠、レバータンブラー錠或いはディスクタンブラー錠では考えられない特性である。
【０１２５】
逆に言えば、各部材の加工精度を上げればタンブラーピンの一段階の動きを小さくしても作動する。
【０１２６】
例えば、加工精度及び組み立て精度を向上させ、上記２δの値を０．３ミリに抑えることができれば、かご型シリンダー錠の上記した一段階０．５ミリの動きを０．４ミリにすることができ、５ミリのタンブラーピンのストロークで１２段階の動きが取れるから、この場合鍵違いは１２８≒４．３億である。
【実施例４】
【０１２７】
上記したピンタンブラー錠などの従来の型式のシリンダー錠は、鍵孔に合鍵を差し込んで解錠したのち解錠方向に内筒を回動させると、タンブラー或いはロッキングバー（レバータンブラー錠の場合）がシアーラインに拘束されるので、合鍵が内筒に拘束されて鍵孔から抜けなくなる。
【０１２８】
この特性は、通常、錠前の操作に利益を与えないのだが、例えば自動販売機のハンドル錠では鍵孔に合鍵を差し込んだまま扉を閉めると、内筒が回って自動的に施錠ができる場合がある。
【０１２９】
一方、かご型シリンダー錠の場合には、合鍵を鍵孔に差し込んで解錠方向に内筒を回しても、合鍵がタンブラーピンに拘束されないので、解錠位置で合鍵から手を離すと付勢ばね１７、１７の弾力によって合鍵が少し押し戻され、施錠状態に戻ることがある。
【０１３０】
この場合再び合鍵を押し込むことによって解錠状態に戻るから問題は無いのだが、上記自動販売機の施解錠操作の場合には、通常のシリンダー錠と比較して違和感が生じるかも知れない。
【０１３１】
この場合には、前記ブロック体２１（図１参照）の材質を鋼鉄とし、ホルダー３５（図９参照）を磁石とすれば、磁力によってタンブラーピンを押し込むことにより自動販売機のハンドル錠と同じ操作感を得ることができる。
【実施例５】
【０１３２】
図１６は請求項２に記載のかご型シリンダー錠における第１受板３の外筒他端開口部側からみた正面図で、この第１受板３には、（ｎ−１）個のピン受け穴６、６、及びピン受け穴６と同径の、受板を加工せずに残した１個の仮想のピン受け穴４４が、第１受板３の中心軸を中心とする円上に、かつ等角度間隔で形成されている。
【０１３３】
また、上記した構成の第一受板３が、ピン受け穴６、６相互の角度間隔、或いはピン受け穴６と仮想のピン受け穴４４との角度間隔毎に、外筒中心線の周りの角度位置を違えて外筒に固定できるように構成されている。
【０１３４】
すなわち、図示の実施例における第１受板３には、外筒の中心軸線を含み、隣接するピン受け穴６、６から等距離の平面、或いはピン受け穴６と仮想のピン受け穴４４から等距離の平面と、第１受板３を等厚に切断する平面との交点に沿い、第１受板３の外周面に開口する８個の盲穴の雌ねじ孔（図示せず）が形成されている。
【０１３５】
一方、外筒１の外周面には、内筒内に装着された第１受板３の、上記盲穴の雌ねじ孔と母線方向において整合する位置で、内筒中心軸線に関し対称の角度位置に一対のねじ孔（図示せず）が開口している。
【０１３６】
上記した構成により、上記ねじ孔を通して第１受板３の外周部にねじ込まれている一対のねじ５、５（図１６参照）を外筒の外側からねじ外し、後述するように２種の合鍵を使用して第１受板３の角度位置を変えれば、この発明によるかご型シリンダー錠は前述した所謂バリタンとなる。
【０１３７】
すなわち、図１６に示す第１受板３の、時計盤面に換算して１２時の角度位置のピン受け穴６の角度位置を基準として、このピン受け穴の角度位置を１の角度位置とする。
【０１３８】
そして、上記の角度位置をサフィックスとし、ピン受け穴をＰｉ（ｉ＝１〜８）と表示して一のピン受け穴を他のものと区別する。すると、図１６における仮想のピン受け穴４４はＰ５である。
【０１３９】
また、各ピン受け穴Ｐｉの施錠状態におけるタンブラーピン１３の係入深さをＪ（前記の実施例ではＪは０．５ミリ、１ミリ、・・・４．５ミリ、５ミリの何れか）と定義すると、図１６において時計盤面に換算して１２時の角度位置におけるピン受け穴６における、鍵違いに関係するタンブラーピン１３の係入深さはＪ１である。
【０１４０】
同様にして、図１６における鍵違いを［Ｊ１，Ｊ２，Ｊ３，Ｊ４，Ｊ５，Ｊ６，Ｊ７，Ｊ８］と定義できる。但し、Ｐ５は前記したように仮装のピン受け穴であり、穴は開いていないから、Ｊ１〜Ｊ８とは異なるＸ（例えば−０．５ミリ）を割り当てる。
【０１４１】
すると、図１６における第１受板３における鍵違いは、［Ｊ１，Ｊ２，Ｊ３，Ｊ４，Ｘ，Ｊ６，Ｊ７，Ｊ８］となる。
【０１４２】
図１６に示す鍵違いを、次に説明する操作により、仮想のピン受け穴Ｐ５を時計の盤面１２時の角度位置に動かすことにする。
【０１４３】
すると、仮想のピン受け穴を１２時の角度位置に動かした後の鍵違いは、［Ｘ，Ｊ６，Ｊ７，Ｊ８，Ｊ１，Ｊ２，Ｊ３，Ｊ４］となる。この鍵違いを新しい鍵違いと定義し、また、上記し、図１６に示す鍵違いを古い鍵違いと定義する。
【０１４４】
鍵違いを変更するには、新しい鍵違いの合鍵（Ｋｎとする）を予め用意し、今まで使用していた古い鍵違いの合鍵（Ｋｏとする）と共に、錠前のメーカーではなく、ユーザー自らがドライバーを用いて簡単に鍵違いを変更できる。
【０１４５】
すなわち、まず新しい合鍵Ｋｎを鍵孔１９（図１参照）に差し込みこれを解錠方向に回そうとすると、図１６に示す第１受板３の鍵違いは古い鍵違いであるから当然解錠されず内筒７は回らない。
【０１４６】
そこで、外筒１の外側から、第１受板３を外筒１に固定している前記一対のねじ５、５をねじ外すと、第１受板３及び内筒７は外筒１から解放されて一体的に自由回転できるようになる。
【０１４７】
ちなみに、この状態では図１６に示す［Ｊ１，Ｊ２，Ｊ３，Ｊ４，Ｘ，Ｊ６，Ｊ７，Ｊ８］の鍵違いの内Ｘに相当するタンブラーピン１３は第１受板３の他端側の面に当接しているし、他のタンブラーピンは第１受板のピン受け穴６に係入しているから、第１受板３及び内筒７は第２受板４からも自由である。
【０１４８】
そこで、合鍵Ｋｎを回して仮想のピン受け穴４４を図１６の時計盤面に換算して１２の角度位置に迄移動させる。
【０１４９】
なお、このときタンブラーピンを表示する符号又は数字を第１受板３の外周面又は外端面に表記し（図示せず）、外筒の面板２（図１参照）又は外筒の一端寄りの外周面に表示窓を開口させて（図示せず）、この窓からタンブラーピンを表示する符号又は数字をこの表示窓を通して確認することにより上記仮想のピン受け穴４４の移動が容易になる。
【０１５０】
仮想の受け穴４４を図１６の時計盤面に換算して１２時の角度位置に移動させたら、その角度位置を固定するため前記一対のねじ５、５を占めて第１受板３を外筒１に固定する。
【０１５１】
この状態では、図１６の仮想の受け穴４４は時計盤面に換算して１２時の角度位置に移動しており、合鍵２７の標線３９（図１２参照）は時計盤面に換算して６時の角度位置に移動している。
【０１５２】
次いで、新しい鍵違いの合鍵Ｋｎを抜き、古い鍵違いの合鍵Ｋｏを鍵孔１９に挿入する。ただし、このときには標線３９を６時の角度位置、すなわち、１８０度ずらせて鍵孔に挿入する。
【０１５３】
この場合には合鍵Ｋｏの挿入によりこのかご型シリンダー錠は解錠されるから、合鍵Ｋｏを時計方向、或いは反時計方向に回してそれまで６時の角度位置にあったＪ１のタンブラーピンを１２時の角度位置に戻し、合鍵Ｋｏを抜く。
【０１５４】
以降、新しい鍵違いの合鍵Ｋｎによる施解錠が可能になり、このようにしてバリタン操作が完了する。
【０１５５】
ちなみに、前記［Ｊ１，Ｊ２，Ｊ３，Ｊ４，Ｊ５，Ｊ６，Ｊ７，Ｊ８］の鍵違いと、［Ｊ１，Ｊ２，Ｊ３，Ｊ４，Ｘ，Ｊ６，Ｊ７，Ｊ８］の鍵違いは相互に異なり、Ｊ５をＸに置き換えることにより鍵違いが減少するわけではないから、上記バリタン操作によって全体の鍵違いの数、すなわち１０８は変わらない。
【符号の説明】
【０１５６】
１  外筒
２  面板
３  第１受板
４  第２受板
５  ねじ
６  ピン受け穴
７  内筒
８  第１フランジ
９  第２フランジ
１１  ガイド穴
１２  爪
１３  タンブラーピン
１４  接続筒
１５  止め輪溝
１６  Ｅリング
１７  付勢ばね
１８  スリット
１９  鍵孔
２１  ブロック体
２２  スリワリ
２３  取付孔
２４  テールピース
２５  連結棒
２６  ピン
２７  合鍵
２８  合鍵本体
２９  突歯
３１  基準線
３２  摘み
３３  盲穴の筒部
３４  係合片
３５  ホルダー
３６  結合ピン
３７  接合端縁
３８  外側開口端縁
３９  標線
４１  切欠
４２  ガイド溝
４３  ホルダー筒
４４  仮想のピン受け穴
【図１】
2015132063.tif 000003
【図２】
2015132063.tif 000004
【図３】
2015132063.tif 000005
【図４】
2015132063.tif 000006
【図５】
2015132063.tif 000007
【図６】
2015132063.tif 000008
【図７】
2015132063.tif 000009
【図８】
2015132063.tif 000010
【図９】
2015132063.tif 000011
【図１１】
2015132063.tif 000012
【図１２】
2015132063.tif 000013
【図１３】
2015132063.tif 000014
【図１４】
2015132063.tif 000015
【図１５】
2015132063.tif 000016
【図１６】
2015132063.tif 000017
【図１０】
2015132063.tif 000018